(57)【要約】【課題】予備排水部が予備排水部としての排水機能を果たすことができる排水ドレンを提供する。【解決手段】排水ドレン１は、横向き排水路（軒樋）５の内部において排水口６の上に山形状に突出するように配される、外周にごみ除け部１１を有した排水部１０と、排水部１０の内部より、排水部１０の頂部１０ａを介して上方に突出するように配された予備排水部２０とを備えた構成とされる。予備排水部２０は、排水部１０の上方に配された排水導入部２１と、排水導入部２１と排水部１０の内部とを連通するように上下方向に延びた管状部２７と、管状部２７の内部に上下方向に延びる棒状体３０とを備えている。【選択図】図１
2020200604.tif 000002
【特許請求の範囲】
【請求項１】
横向き排水路の底部に開設した排水口に取り付けられ、下向き排水路と接続される排水ドレンであって、
前記横向き排水路の内部において前記排水口の上に山形状に突出するように配される、ごみ除け部を有した排水部と、
該排水部の内部より、該排水部の頂部を介して上方に突出するように配された予備排水部とを備えた構成とされ、
前記予備排水部は、前記排水部の上方に配された排水導入部と、該排水導入部と前記排水部の内部とを連通するように上下方向に延びた管状部と、該管状部の内部に上下方向に延びる棒状体とを備えたことを特徴とする排水ドレン。
【請求項２】
請求項１において、
前記管状部の内径が前記下向き排水路の内径より小とされることを特徴とする排水ドレン。
【請求項３】
請求項１または２において、
前記排水導入部は、すくなくとも側方に開口した排水導入口と、該排水導入口から前記管状部に通じる集水部と、該集水部の上方を覆う覆い部とを有しており、
前記棒状体は、前記覆い部の裏面に固定されて下方に延びていることを特徴とする排水ドレン。
【請求項４】
請求項３において、
前記集水部は、前記管状部の上端開口縁より周囲に延びてなる椀状体とされ、かつ前記管状部の上端開口の上方に棒保持部を備えており、
前記覆い部は前記集水部と略同径の笠体で構成され、
前記棒状体は、前記棒保持部で保持されることで、前記椀状体と前記笠体との間に略全周にわたり側方開口が形成され、該側方開口で前記排水導入口を構成したことを特徴とする排水ドレン。
【請求項５】
請求項３において、
前記排水導入部は、前記集水部と前記覆い部とを一体とした直線状の横設配管で構成され、該横設配管の端部開口により前記排水導入口を構成しており、
前記横設配管の長手方向の中間部に、前記管状部の上端が接続されていることを特徴とする排水ドレン。
【請求項６】
請求項３において、
前記排水導入部は、前記集水部と前記覆い部とを一体とした平面視十字状の横設配管とされ、該横設配管の端部開口により前記排水導入口を構成しており、
前記横設配管の十字交差部に、前記管状部の上端が接続されていることを特徴とする排水ドレン。
【発明の詳細な説明】
【技術分野】
【０００１】
本発明は、横向き排水路の底面に開設した排水口に取り付けられ、下向き排水路と接続される排水ドレンに関する。
【背景技術】
【０００２】
従来のこの種の排水ドレンとして、例えば軒樋の底部に設けた排水口の上に山形状に突出するように配される、外周や頂部にごみ除け部を有した排水部を備えたものが種々提案されている（例えば、特許文献１参照）。近時では、さらに、ごみ除け部が枯葉などのごみで塞がって水嵩が増えた場合のオーバーフロー対策として、排水部の頂部より上方に突出するように予備排水用の管状体（竪配管）を付加することが提案、実施されている。例えば特許文献２には、管状体として蛇腹管を有したものが記載されている。
【先行技術文献】
【特許文献】
【０００３】
【特許文献１】特許第４２８８２７６号公報
【特許文献２】特開２００１−１５２６２６号公報
【発明の概要】
【発明が解決しようとする課題】
【０００４】
しかしながら、排水部が排水口の径よりもやや大きな径の山形（略半球または円錐台）状となっているから、管状体として径の大きな（例えば排水口と同程度か、やや小さな）管を用いれば、排水部の排水窓が生かされなくなり、排水部自体の排水能力を落とすことになる。したがって、排水部の形状、寸法に合わせてやや小さな径の管状体を用いることが妥当とされるが、その場合には予備排水部が予備排水部として十分に機能しないおそれがある。
【０００５】
本発明は、このような事情を考慮して提案されたもので、その目的は、予備排水部が予備排水部としての排水機能を果たすことができる排水ドレンを提供することにある。
【課題を解決するための手段】
【０００６】
上記目的を達成するために、請求項１に記載の排水ドレンは、横向き排水路の底部に開設した排水口に取り付けられ、下向き排水路と接続される排水ドレンであって、前記軒樋の内部において前記排水口の上に山形状に突出するように配される、ごみ除け部を有した排水部と、該排水部の内部より、該排水部の頂部を介して上方に突出するように配された予備排水部とを備えた構成とされ、前記予備排水部は、前記排水部の上方に配された排水導入部と、該排水導入部と前記排水部の内部とを連通するように上下方向に延びた管状部と、該管状部の内部に上下方向に延びる棒状体とを備えたことを特徴とする。
【０００７】
請求項２に記載の排水ドレンは、前記管状部の内径が前記下向き排水路の内径より小とされることを特徴とする。
【０００８】
請求項３に記載の排水ドレンは、前記排水導入部は、すくなくとも側方に開口した排水導入口と、該排水導入口から前記管状部に通じる集水部と、該集水部の上方を覆う覆い部とを有しており、前記棒状体は、前記覆い部の裏面に固定されて下方に延びていることを特徴とする。
【０００９】
請求項４に記載の排水ドレンは、前記集水部は、前記管状部の上端開口縁より周囲に延びてなる椀状体とされ、かつ前記管状部の上端開口の上方に棒保持部を備えており、前記覆い部は前記集水部と略同径の笠体で構成され、前記棒状体は、前記棒保持部で保持されることで、前記椀状体と前記笠体との間に略全周にわたり側方開口が形成され、該側方開口で前記排水導入口を構成したことを特徴とする。
【００１０】
請求項５に記載の排水ドレンは、前記排水導入部は、前記集水部と前記覆い部とを一体とした直線状の横設配管とされ、該横設配管の端部開口により前記排水導入口を構成しており、前記横設配管の長手方向の中間部に、前記管状部の上端が接続されていることを特徴とする。
【００１１】
請求項６に記載の排水ドレンは、前記排水導入部は、前記集水部と前記覆い部とを一体とした平面視十字状の横設配管とされ、該横設配管の端部開口により前記排水導入口を構成しており、前記横設配管の十字交差部に、前記管状部の上端が接続されていることを特徴とする。
【発明の効果】
【００１２】
請求項１に記載の排水ドレンは上述した構成とされているため、予備排水部が予備排水部としての排水機能を果たすことができる。
【００１３】
請求項２に記載の排水ドレンは上述した構成とされているため、予備排水部の排水能力を高めて下向き排水路の排水能力に近づけることができる。
【００１４】
請求項３に記載の排水ドレンは上述した構成とされているため、覆い部で上方から落下してきたごみが予備排水部へ入り込むことを防止することができ、また覆い部を利用して棒状体を正しく配置することもできる。
【００１５】
請求項４に記載の排水ドレンは上述した構成とされているため、軒樋内の多くの排水を排水部へと誘導することができ、また覆い部と棒保持部とで棒状体を正しく安定状態に配置することもできる。
【００１６】
請求項５に記載の排水ドレンは上述した構成とされているため、予備排水部を簡単に形成することができる。
【図面の簡単な説明】
【００１７】
【図１】本発明の第１実施形態に係る排水ドレンの分解斜視図である。
【図２】（ａ）は平常時の同排水ドレンの使用態様を示す縦断面図、（ｂ）はおオーバーフローの際の同排水ドレンの使用態様を示す縦断面図である。
【図３】本発明の第２実施形態に係る排水ドレンの縦断面図である。
【図４】本発明の第３実施形態に係る排水ドレンの縦断面図である。
【図５】本発明の第４実施形態に係る排水ドレンの縦断面図である。
【発明を実施するための形態】
【００１８】
以下に、本発明の一実施形態に係る排水ドレン１について、添付図面をもとに説明する。
まず、以下の種々の実施形態に係る排水ドレン１の共通の基本構成について記述する。
【００１９】
これらの排水ドレン１はいずれも、横向き排水路５（例えば軒樋５）の底部５ａに開設した排水口６に取り付けられ、下向き排水路７（例えば竪樋７）と接続される排水ドレン１である。
【００２０】
排水ドレン１は、図１〜図５に示すように、軒樋５の内部において排水口６の上に山形状に突出するように配される、ごみ除け部１１を有した排水部１０と、排水部１０の内部より、排水部１０の頂部１０ａを介して上方に突出するように配された予備排水部２０とを備えた構成とされる。
【００２１】
予備排水部２０は、図１〜図５に示すように、排水部１０の上方に配された排水導入部２１と、排水導入部２１と排水部１０の内部とを連通するように上下方向に延びた管状部２７と、管状部２７の内部に上下方向に延びる棒状体３０とを備えている。
【００２２】
これらの排水ドレン１および、排水ドレン１を排水口６に取り付けた排水構造について、さらに具体的に説明する。なお、以下に説明する実施形態では、横向き排水路５として軒樋５を例示、下向き排水路７として竪樋７を例示した。
【００２３】
これらの排水ドレン１は、排水部１０および排水部１０と一体とされた筒部１３を有した排水部材Ａと、排水部１０の上方に配する予備排水部２０と、排水部材Ａを竪樋７に連結するためのソケット１５とを備えている。
【００２４】
また、図１〜図５で例示した排水ドレン１の取付対象である軒樋５は、本例においては角樋とされる。もちろん丸樋であってもよい。軒樋５の底部５ａに設けた排水口６は略円形の開口とされる。その排水口６には竪樋７が排水ドレン１を介して取り付けできるようになっている（図１参照）。
【００２５】
排水部材Ａの排水部１０は、外形を略半球形状とされ、その内部を空洞とされ、外周部には、排水部１０の外郭を構成するごみ除け部１１として、仕切枠１１ｂで仕切られた複数の排水窓１１ａを備えている。この排水部１０は、図１に示すように、略半球の頂部１０ａを上側にして配される。
【００２６】
また、排水部１０の外周下端には全周にわたりフランジ部１２が設けてあり、排水部１０の下方には、外周面にネジ部１３ａを有した筒部１３がフランジ部１２と一体に形成されており、このフランジ付きの筒部１３の上端にごみ除け部１１が固着されて、これらにより排水部材Ａを構成している。
【００２７】
この排水部材Ａは、フランジ部１２が排水口６の周縁部６ａの上面に当接した状態で、排水部１０が軒樋５の底部５ａの面より上方に山形状に突出し、かつ筒部１３が排水口６に挿通されて排水口６よりも下方に突出するように、上方より装着されて使用される。
【００２８】
ソケット１５は、排水部材Ａの筒部１３に外嵌するように下方より取り付けられる。ソケット１５の内周面の上部には、筒部１３のネジ部１３ａを螺合するネジ溝１５ａが形成されている。ソケット１５の外周部の上端部には全周にわたりフランジ部１６が形成されている。また、ソケット１５の下部１５ｃの外径は上部１５ｂの外径より小とされ、段差状となっている。
【００２９】
ソケット１５は、排水口６より下方に突出した排水部材Ａの筒部１３のネジ部１３ａに対しネジ溝１５ａの螺合により、排水部材Ａに連結される。排水部材Ａとソケット１５は、ソケット１５のフランジ部１６と排水部材Ａのフランジ部１２とで排水口６の周縁部６ａを挟み込むようにして、軒樋５に固定される。そして、さらにソケット１５の下部１５ｃに竪樋７を外嵌することで、軒樋５と竪樋７とは水の流通が可能なように、排水ドレン１を介して連結される。
【００３０】
ついで、各実施形態について順次、図面を参照しながら詳述する。図１および図２は、第１実施形態に係る排水ドレン１、図３は第２実施形態に係る排水ドレン１、図４は第３実施形態に係る排水ドレン１、図５は第４実施形態に係る排水ドレン１の各説明図である。
【００３１】
なお、以下に説明する複数の実施形態において、排水部材Ａ（排水部１０および筒部１３）、ソケット１５およびそれらの取付構造は互いに同一とされるが、予備排水部２０については形状等が相異なる。
【００３２】
図１の排水ドレン１の予備排水部２０は、上述したように、排水導入部２１と、円筒状の管状部２７と、管状部２７内の中心軸に沿って上下方向に延びる円柱状の棒状体３０とを備えている。図１、図２に示すように、予備排水部２０は上部が広がったキノコ形状とされている。この予備排水部２０は、排水部１０の頂部１０ａに固定されればよい。
【００３３】
例えば、予備排水部２０は、管状部２７を排水部１０の頂部１０ａに設けた開口に挿通させて、後述する集水部２３の拡径された下端を頂部１０ａの開口縁で支持、固定されるようにすればよい。なお、排水部１０の内部においても、管状部２７のぶれを防止する構成とすることが望ましい。
【００３４】
排水導入部２１は、側方に開口した排水導入口２２と、排水導入口２２から管状部２７に通じる集水部２３と、集水部２３の上方を覆う覆い部２５とを有している。
【００３５】
排水導入口２２は、排水部１０の排水機能が低下したときのオーバーフロー水を導入するための予備用の排水開口である。集水部２３は、排水導入口２２から導入されたオーバーフロー水を管状部２７に送るための流水路である。覆い部２５は、集水部２３に枯葉などのごみ９が入り込むことを防止するためのごみ除け用笠として作用する。
【００３６】
図２に示すように、集水部２３は、管状部２７の上端開口２７ａの外周縁より周囲に広がるように延びてなる椀状体とされ、かつ管状部２７の上端開口２７ａの上方に棒保持部２４を備えている。図２に示すように、集水部２３と下方の管状部２７とは、管状部２７の上端開口２７ａを通じて連成され一体となっており、棒保持部２４は集水部２３の傾斜内面に設けた支持脚２４ｂにより支持されて、管状部２７の上端開口２７ａの略真上に、距離を隔てた状態に配されている。
【００３７】
集水部２３の周端縁より中央に向けて降下した傾斜内面は、管状部２７の内面に段差なくつながっている。したがって、排水導入口２２から入ってきた雨水は、傾斜内面から管状部２７内へとスムーズに流れる。
【００３８】
棒保持部２４は、貫通孔の内部にネジ溝２４ａが形成されたナット状の筒体とされ、図２（ａ）に示すように、２本の支持脚２４ｂにより、集水部２３の内面の略中央に、管状部２７の上端開口２７ａから上方に離間した位置で支持、固定されている。棒保持部２４の配設位置は、すくなくとも棒保持部２４の下端と、管状部２７の上端開口２７ａとの間に水が流れる空間が配されるような位置であればよい。
【００３９】
また、覆い部２５は集水部２３と略同径の笠体で構成され、上面が凸湾曲した伏せ平鍋形状とされる。この覆い部２５（笠体）は、集水部２３（椀状体）との間に略全周にわたり側方開口よりなる排水導入口２２が形成されるように、棒保持部２４と棒状体３０との協働によりで支持されている。
【００４０】
覆い部２５は、その裏面中央に棒状体３０の上端部を嵌合する嵌合凹部２５ａを備えている。一方、棒状体３０は、軸部３１の一部にネジ部３２が形成されており、そのネジ部３２の上側に鍔状頭部３３が設けてある。
【００４１】
棒状体３０は、その上端部が覆い部２５の嵌合凹部２５ａに嵌合し、ネジ部３２を棒保持部２４のネジ溝２４ａに螺合することで、覆い部２５は、集水部２３との間に排水導入口２２を開けた状態に、集水部２３に一体化される。
【００４２】
なお、鍔部３３が棒保持部２４の上端に当接することで、図２（ａ）に示すような排水導入口２２を形成すればよいが、棒状体３０と棒保持部２４とは螺合により連結する構成であるため、排水導入口２２を大きくする場合には、螺合を調節して鍔部３３と棒保持部２４の上端とを離間させればよい。
【００４３】
また、（棒状体３０の）ネジ部３２、（棒保持部２４の）ネジ溝２４ａを設けずに、棒状体３０を棒保持部２４に挿入し、鍔部３３と棒保持部２４との当接のみで覆い部２５を支持して、排水導入口２２を形成するようにしてもよい。なお、別体とした鍔部３３を、棒状体３０の軸部３１の上下方向の適所に取り付ける構成にして、排水導入口２２の上下間寸法を変更できるようにしてもよい。
【００４４】
このように構成された排水ドレン１は、図２（ａ）（ｂ）に示した使用態様にて使用される。
【００４５】
ずなわち、図２（ａ）に示すように、排水部１０が正常に作用している場合、つまり排水窓１１ａから排水が排水部１０の内部に流入可能な状態においては、雨水は排水窓１１ａを通って竪樋７へと流れる（図２（ａ）の２点鎖線矢印参照）。
【００４６】
また、排水部１０が正常に作用していない場合、つまりごみ除け部１１の作用によりごみ９が外周面に溜まり、そのごみ９が排水の邪魔になって排水部１０の排水能力が減退してオーバーフロー状態となった場合には、図２（ｂ）のように、軒樋５内で水嵩が排水部１０の高さよりも増える場合がある。
【００４７】
このような場合でも、本排水ドレン１は予備排水部２０を備えているため、オーバーフロー状態となった場合でも、水位が排水導入口２２に到達すれば、雨水は排水導入口２２に流れ込み、集水部２３、管状部２７を通って下方の竪樋７へと流れ込む（図２（ｂ）の２点鎖線矢印参照）。
【００４８】
したがって、排水部１０（排水窓１１ａ）からの排水と、予備排水部２０からの排水とで、軒樋５において想定していた排水能力を確保することができる。しかも、管状部２７には、その軸方向に棒状体３０が配されているため、この棒状体３０が集水部２３からの雨水の流れ込みにより生じる渦巻流の発生を抑制して、管状部２７内では雨水はスムーズに流れ落ちる。つまり、この棒状体３０の整流作用により、予備排水部２０が予備排水部２０としての排水機能を果たすことができる。
【００４９】
このように、予備排水部２０は、図２（ａ）に示すように、管状部２７の内径が竪樋７の内径より小さい場合でも、管状部２７には棒状体３０が内装されているため、管状部２７内で発生する可能性のある渦巻流を緩和でき、十分な排水量を確保して、弱まった排水部１０の排水能力を補完することができる。
【００５０】
棒状体３０としては、本例のような円柱状や、他の柱状のものが望ましく、また周面に凹凸のないものが望ましい。また、管状部２７内の軸方向の中央空間が減少されるように、軸方向に沿って略中央に配されるものであればよい。したがって、周面には多少の凹凸や、らせん状の溝が形成されたものであってもよい。
【００５１】
ついで、図３、図４に示した第２、第３実施形態に係る排水ドレン１について詳述する。これらについても図１、図２のものと同様、排水導入部２１は、側方に開口した複数の排水導入口２２と、排水導入口２２から管状部２７に通じる集水部２３と、集水部２３の上方を覆う覆い部２５とを有している。なお、これらについては、排水部１０の形状は円錐台形状とされている。また、これらの図では、ごみ除け部１１のみを図示し、フランジ部１２、筒部１３等の図示は省略した。
【００５２】
図３に示した排水ドレン１は、排水導入部２１が集水部２３と覆い部２５とを一体とした直線状の横設配管Ｂとされ、横設配管Ｂの２つの端部開口により排水導入口２２を構成したものである。つまり、予備排水部２０の本体は、管状部２７と、集水部２３と、覆い部２５とが一体となったＴ字管で構成されている。このＴ字管は、管状部２７の高さ方向の適所に設けた鍔片部２７ｃが頂部１０ａに当接するようにして支持されている。この鍔片部２７ｃは、管状部２７の本体とは別体として、軒樋５の深さなどにおうじて上下方向の適宜位置に固定できるようにすることが望ましい。
【００５３】
一方、図４のものは、排水導入部２１が集水部２３と覆い部２５とを一体とした平面視十字状の横設配管Ｂとされ、横設配管Ｂの４つの端部開口（図４には３つを図示）により排水導入口２２を構成した排水ドレン１である。
【００５４】
これらの排水ドレン１のいずれについても、図１、図２の例とおおむね同様とされ、管状部２７の内部には、上下方向に延びる棒状体３０が配されている。棒状体３０は、図３のものでは、横設配管Ｂの中間部（管状部２７の上端開口２７ａの略真上位置）に固定され、図４のものでは、横設配管Ｂの十字交差部（管状部２７の上端開口２７ａの略真上位置）に固定されている。
【００５５】
したがって、これらの排水ドレン１についても、予備排水部２０は、棒状体３０により管状部２７内で発生する可能性のある渦巻流を緩和して、十分な排水量を確保して、排水部１０の細った排水能力を補完することができる。
【００５６】
また、棒状体３０の配設保持手段としては、図３の例のように、覆い部２５の中央に孔を開け、その孔に鍔状頭部３４付きの棒状体３０を通して管状部２７内に配してもよく、また図４の例のように、覆い部２５の内面中央より下方に延びる棒状体３０を覆い部２５に一体に設けてもよい。
【００５７】
なお、これらのものでは、棒状体３０は上部のみが固定されているため、下部のぐらつきを防止する構成とすることが望ましい。そのために、例えば図３、図４に示すように、管状部２７の下端開口にネット２８（網）などを配設することで棒通し孔を設け、棒状体３０の下部をその棒通し孔に通して、棒状体３０が管状部２７内の軸からずれないようにすればよい。
【００５８】
また、図３、図４のように、予備排水部２０をＴ字管や十字管などの横設配管Ｂで構成すれば、簡易に予備排水部２０付きの排水ドレン１を形成することができる。横設配管Ｂは後付けでもよい。
【００５９】
また、図５に示した第４実施形態の排水ドレン１のように、竪配管Ｃのみで予備排水部２０を構成してもよい。この竪配管Ｃは、全体が管状部２７とされるとともに、上部の２側方に開口した開口が排水導入口２２（排水導入部２１）を構成するものである。つまり、予備排水部２０の本体は、管状部２７と、排水導入口２２を有した排水導入部２１とを備えてなる。なお、排水部１０の形状は円錐台形状とされている。また、図５では、ごみ除け部１１のみを図示し、フランジ部１２、筒部１３等の図示は省略した。この竪配管Ｃは、管状部２７の高さ方向の適所に設けた鍔片部２７ｃが頂部１０ａに当接するようにして支持されている。
【００６０】
また、予備排水部２０は、管状部２７の上端開口２７ａを塞ぐ蓋体よりなる覆い部２５を備えている。この覆い部２５の中央には、バーリング加工により下方に突出する雌ネジ部２５ｂが形成されている。その雌ネジ部２５ｂに、ネジ部３２を有した鍔状頭部３４付きの棒状体３０を挿入し、螺合することで、管状部２７内に棒状体３０を配するようにしている。
【００６１】
この排水ドレン１についても図１〜図４のものと同様、棒状体３０が作用することで、排水導入口２２から流れ込むオーバーフロー水をスムーズに下方に流すことができる（図５の２点鎖線矢印参照）。
【００６２】
以上の種々の実施形態では、棒状体３０の管状部２７内での配設保持手段は相互に異なるものであるが、それぞれの排水ドレン１でどの配設保持手段を採用してもよい。また、以上に例示していない他の配設保持手段により棒状体３０を保持するようにしてもよい。例えば、第２〜４実施形態ではいずれも、予備排水部２０のごみ除け部を構成する覆い部２５が棒状体３０を保持する配設保持手段を担っているが、管状部２７や排水部１０で棒状体３０を保持する構成にしてもよい。
【００６３】
また、覆い部２５はごみ除け部として作用するものの、覆い部２５が上方の開口を塞いでいるため、雨水の導入量を少なくしている。よって、覆い部２５を設けることなく、大きな排水導入口２２を設けるようにしてもよい。特に、第１、第４実施形態のものは覆い部２５が別体であるため、これを取り外し上方開口を含むように排水導入口２２を大きくすればよい。その場合、棒状体３０は他の配設保持手段で保持すればよい。
【００６４】
また、予備排水部２０は既存の排水部１０（排水部材Ａ）に対して後付けするものであってもよい。また、以上では、排水ドレン１の取付対象を軒樋５の底部に設けた排水口６としたものを例示したが、ベランダの横向き排水路の底部に形成した、竪樋７に通じる下引き用の下向き排水路を取付対象としてもよい。
【００６５】
また、予備排水部２０の形状や、排水部１０との寸法関係については、実施形態に係る模式的な図面の例に限定されるものではない。特に、予備排水部２０は、排水部１０がほとんど機能しない場合でも排水できるようにする必要があるから、排水能力を上げるために、図例のものよりも大きな径の管状部２７を採用してもよいことはいうまでもない。排水部１０の全排水窓１１ａの大きさと、管状部２７の径とのバランスを考慮して管状部２７の径を決定すればよい。
【符号の説明】
【００６６】
１          排水ドレン
１０        排水部
１０ａ      頂部
１０ｂ      開口
１１        ごみ除け部
１２        フランジ部
２０        予備排水部
２１        排水導入部
２２        排水導入口
２３        集水部
２４        棒保持部
２５        覆い部
２７        管状部                                                                                                            
２７ａ      上端開口
Ｂ          横設配管
３０        棒状体
５          軒樋（横向き排水路）
５ａ        底部
６          排水口
６ａ        周縁部
７          竪樋（下向き排水路）
９          ごみ
【図１】
2020200604.tif 000003
【図２】
2020200604.tif 000004
【図３】
2020200604.tif 000005
【図４】
2020200604.tif 000006
【図５】
2020200604.tif 000007